(57)【特許請求の範囲】
【請求項１】
映像、音声、及びデータを含むデータストリームを受信可能な受信装置であって、
前記データストリーム中のデータの個別情報を格納するＥＭＭセクションには、所定のグループに属する複数の受信装置に共通する集団識別番号と、受信装置ごとに独立する個別識別番号とを含み、さらに、前記データストリーム中のデータには、前記集団識別番号と前記個別識別番号のいずれを適用するかを選択するための選択情報を含み、
前記受信装置は、前記受信装置に予め割り当てられた前記集団識別番号及び前記個別識別情報を記憶する記憶部と、前記データストリームのＥＭＭセクション及び前記選択情報を抽出する多重分離部と、前記多重分離部で抽出された前記選択情報及びＥＭＭセクションから前記集団識別番号と前記個別識別番号とを抽出する制御部とを備え、
前記制御部により抽出された前記選択情報により選択された前記データストリームに適用される前記個別識別情報又は前記集団識別番号が前記記憶部に記憶された前記個別識別情報又は前記集団識別番号と一致する場合には、前記制御部により抽出された前記選択情報により選択された前記データストリームに適用される前記個別識別情報又は前記集団識別番号により受信装置の契約が制御されることを特徴とする受信装置。
【請求項２】
請求項１に記載の受信装置において、前記選択情報は、番組配列情報（Ｓｅｒｖｉｃｅ  Ｉｎｆｏｒｍａｔｉｏｎ）に含まれていることを特徴とする受信装置。
【請求項３】
請求項１又は２に記載の受信装置において、
前記データストリームには、さらに、前記データストリームの所定部分について、前記個別識別番号により特定される個別の受信装置単位で課金される第１の契約内容、又は、前記集団識別情報により特定される所定のグループ単位で課金される第２の契約内容のいずれを適用するか区別するための識別子を含み、
前記識別子に応じて前記第２の契約内容を適用するとき、前記データストリームに含まれる前記所定のグループ単位で共通する鍵情報を取得する制御部と、
前記鍵情報により、前記データストリームの所定部分をデスクランブルする暗号解読部とを備えることを特徴とする受信装置。
【請求項４】
請求項３に記載の受信装置において、前記契約内容は、所定期間ごとに更新されることを特徴とする受信装置。
【請求項５】
請求項３又は４に記載の受信装置において、前記データストリームの所定部分とは、一つの番組又は一つの放送局に対応することを特徴とする受信装置。
【発明の詳細な説明】
【０００１】
【発明の属する技術分野】
本発明はデータ送受信システムにおいて、受信した有料データについて、契約内容に応じて課金するデータ送受信方法およびその受信装置に関するものである。
【０００２】
【従来の技術】
現在、ケーブルＴＶや衛星放送において有料放送システムが採用されている。この有料放送システムにおける課金形態としては、たとえば、毎月一定料金を払って特定チャンネルを視聴するもの（ペイ・パー・チャンネル）や、番組ごとに料金が設定されて視聴した番組分の視聴料金を支払うもの（ペイ・パー・ビュー）などがある。
【０００３】
これらの料金回収は、ペイ・パー・チャンネルのような課金形態であれば、一旦チャンネルを特定して視聴契約した後、一定料金を指定口座から自動引き落としして行うことができる。また、ペイ・パー・ビューのような課金形態では、送信側は受信側で視聴された番組名や時間などの視聴履歴を把握し、該視聴履歴に応じた料金を徴収することが行われている。該視聴履歴の把握には、たとえば、上記視聴履歴および視聴されたＩＲＤ（Integrated Receiver Decoder ，ディジタル放送用受信機）を識別可能な識別番号であるＩＲＤ＿ＩＤを、双方向ケーブルによって受信側から送信側に通知する方式や，上記視聴履歴をＩＣカードに記録し、そのＩＣカードを識別可能な識別番号であるＣａｒｄ＿ＩＤとともに定期的に電話回線で送信側に通知する方式などが採用されている。
【０００４】
したがって、契約形態として、基本的には、課金形態によらず、上記ペイ・パー・ビューはもちろん、上記ペイ・パー・チャンネルにおいても、ＩＲＤごとに契約して、ＩＲＤごとに清算し料金を支払う形態が採られている。ただし、ＢＳ衛星放送においては、ペイ・パー・チャンネルの一種の課金形態を採用するとともに、ＩＲＤごとではなく家庭ごとに契約する契約形態が採用されている。すなわち、ＢＳ１ｃｈおよびＢＳ２ｃｈの２つのチャンネルを視聴する契約を結ぶのではあるが、１家庭につき１契約分の料金を課金し、１家庭に２台以上のＩＲＤがあっても１契約分の料金が徴収されている。
【０００５】
昨今、複数台数のＴＶを所有する家庭は珍しくなく、家族一人に１台という家庭がほとんどであるといっても過言ではない状況にあり、また、ディジタル放送チャンネルも激増している。したがって、複数台数のＩＲＤを所有して有料放送の視聴契約を結ぶ家庭も当然増大する。さらに、ディジタル放送の多様性から、企業において多数のＩＲＤを所有し、有料ディジタル放送を利用するケースも想定される。
【０００６】
これに対し、ディジタル放送の送信側においても、上述のように現状のＩＲＤ単位での課金に限らず、家庭や企業などの集団単位での契約形態を採用するようになることが容易に考えられる。
【０００７】
【発明が解決しようとする課題】
しかしながら、ペイ・パー・チャンネルのような課金形態であれば、現行ＢＳ衛星放送のように、集団単位で一定料金を徴収することは可能であるが、ペイ・パー・ビューのような課金形態においては、上述のように、上記視聴履歴はＩＲＤ＿ＩＤやＣａｒｄ＿ＩＤとともに通知され、ＩＲＤ単位で把握できるものであり、複数ＩＲＤを含む家庭や企業などの集団単位で把握できるものではない。
【０００８】
また、ディジタル放送における事業形態の多様性やチャンネル数の多さなどを考慮すると、各事業者，チャンネルや番組，期間などによって、ＩＲＤ単位，あるいは集団単位のいずれをも選択できるようにして、自由度の高い契約形態が設定できることも望まれる。
【０００９】
本発明は、かかる問題点を解消するためになされたもので、有料データの受信において、受信装置単位，あるいは複数の受信装置が属する集団単位での受信に対応して、自由度の高い課金を行うことができるデータ送受信方法およびその受信装置を提供することを目的とする。
【００１０】
【課題を解決するための手段】
上記課題を解決するために、本発明（請求項１）にかかる受信装置は、映像、音声、及びデータを含むデータストリームを受信可能な受信装置であって、前記データストリーム中のデータの個別情報を格納するＥＭＭセクションには、所定のグループに属する複数の受信装置に共通する集団識別番号と、受信装置ごとに独立する個別識別番号とを含み、さらに、前記データストリーム中のデータには、前記集団識別番号と前記個別識別番号のいずれを適用するかを選択するための選択情報を含み、前記受信装置は、前記受信装置に予め割り当てられた前記集団識別番号及び前記個別識別情報を記憶する記憶部と、前記データストリームのＥＭＭセクション及び前記選択情報を抽出する多重分離部と、前記多重分離部で抽出された前記選択情報及びＥＭＭセクションから前記集団識別番号と前記個別識別番号とを抽出する制御部とを備え、前記制御部により抽出された前記選択情報により選択された前記データストリームに適用される前記個別識別情報又は前記集団識別番号が前記記憶部に記憶された前記個別識別情報又は前記集団識別番号と一致する場合には、前記制御部により抽出された前記選択情報により選択された前記データストリームに適用される前記個別識別情報又は前記集団識別番号により受信装置の契約が制御されることを特徴とするものである。
【００１１】
また、本発明（請求項２）にかかる受信装置は、請求項１に記載の受信装置において、前記選択情報は、番組配列情報（Ｓｅｒｖｉｃｅ  Ｉｎｆｏｒｍａｔｉｏｎ）に含まれていることを特徴とするものである。
【００１２】
また、本発明（請求項３）にかかる受信装置は、請求項１又は２に記載の受信装置において、上記データストリームには、さらに、上記データストリームの所定部分について、上記個別識別番号により特定される個別の受信装置単位で課金される第１の契約内容、又は、上記集団識別情報により特定される所定のグループ単位で課金される第２の契約内容のいずれを適用するか区別するための識別子を含み、上記識別子に応じて上記第２の契約内容を適用するとき、上記データストリームに含まれる上記所定のグループ単位で共通する鍵情報を取得する制御部と、上記鍵情報により、上記データストリームの所定部分をデスクランブルする暗号解読部とを備えることを特徴とするものである。
【００１３】
また、本発明（請求項４）にかかる受信装置は、請求項３に記載の受信装置において、上記契約内容は、所定期間ごとに更新されることを特徴とするものである。
【００１４】
また、本発明（請求項５）にかかる受信装置は、請求項３又は４に記載の受信装置において、上記データストリームの所定部分とは、一つの番組又は一つの放送局に対応することを特徴とするものである。
【００２９】
【発明の実施の形態】
以下、本発明の実施の形態について、図を参照しながら詳細に説明する。
実施の形態１．
図１は本発明の実施の形態１によるデータ送受信方法において用いるＩＲＤ＿Ｇｒ＿ＩＤを格納した個別情報（Entitlement Management Message，ＥＭＭ）セクションを示す模式図である。（ａ）はＥＭＭ１セクションにＩＲＤ＿ＩＤおよびＩＲＤ＿Ｇｒ＿ＩＤの組を１組のみ格納した場合の一例であり、（ｂ）はＥＭＭ１セクションにＩＲＤ＿ＩＤおよびＩＲＤ＿Ｇｒ＿ＩＤの組を複数組格納した場合の一例である。
【００３０】
ここで、ＥＭＭセクションはＭＰＥＧ２規格で規定され、ヘッダ情報であるＥＭＭセクションヘッダ，ＩＲＤ＿ＩＤ，及びＣＲＣ（Cyclic Redundancy Check ，巡回冗長検査）３２を含み、有料放送で各視聴者の契約に応じて各視聴者向けに送出される鍵情報が記述されている。また、ＩＲＤ＿ＩＤは、各視聴者が所有するディジタル放送用受信機（Integrated Receiver Decoder ，ＩＲＤ）を個別に識別する識別番号であり、送信側から個別のＩＲＤ＿ＩＤと，対応する鍵情報を組みにして送出することによって、受信側ＩＲＤは、ＩＲＤ＿ＩＤにより識別して自己宛ての鍵情報のみを取得することができる。
【００３１】
図において、上述のようにＭＰＥＧ２規格で規定されたＥＭＭに、さらにＩＲＤ＿Ｇｒ＿ＩＤを格納して送出する。該ＩＲＤ＿Ｇｒ＿ＩＤは、たとえば１家庭や１企業のような１集団で２台以上のＩＲＤを所有している場合、集団を識別する集団識別番号であり、これらのＩＲＤには、同一のＩＲＤ＿Ｇｒ＿ＩＤが付与される。したがって、これらのＩＲＤは、個別のＩＲＤ＿ＩＤも付与されているので、集団単位で識別可能なだけでなく、ＩＲＤ単位でも識別可能である。
【００３２】
図２は本発明の実施の形態１によるデータ送受信方法において送信側から伝送される管理情報リストの例を示す図である。
なお、該管理情報リストは、上記ＥＭＭセクションに含まれて伝送される。
【００３３】
図に示した管理情報リスト（ａ）は、ペイ・パー・チャンネルの課金形態で集団単位の契約形態を採用した場合の例である。すなわち、ＩＲＤ＿Ｇｒ＿ＩＤ＝１００を有する集団と、１０１ＣＨ，１０５ＣＨ，２０８ＣＨ，３０１ＣＨなどについて、例えば月極で１ＣＨあたり１０００円の使用料で課金するという、１つの契約を結んだ場合である。該管理情報リストには、各集団識別番号を有するＩＲＤで視聴可能な契約チャンネルが示され、該管理情報リストを受信したＩＲＤは、自己ＩＲＤが有する集団識別番号が記述された管理情報リストに記述されたチャンネルを、契約したチャンネルとして認識することができる。
【００３４】
また、管理情報リスト（ｂ）は、ペイ・パー・チャンネルの課金形態でＩＲＤ単位の契約形態を採用した場合の例である。すなわち、ＩＲＤ＿ＩＤ＝１０００を有するＩＲＤと、１０３ＣＨ，１２５ＣＨ，２５８ＣＨ，３０９ＣＨなどの契約チャンネルについて、所定期間（日、月、年単位など）、１ＣＨあたり所定の使用料で課金するという、１つの契約を結んだ場合である。
【００３５】
図３は本発明の実施の形態１によるデータ送受信方法における受信装置の構成を示す図である。
図において、１１および３１はチューナであり、ディジタル放送によるデータストリームの信号を受信する。１２および３２は復調部であり、ディジタル変調を受けた放送信号を復調する。１３および３３は誤り訂正部であり、ディジタル放送のビット誤りを正すための誤り訂正符号を使用して、伝送路の誤りを正す。１４および３４はデスクランブル部であり、鍵情報に基づいて、それぞれ誤り訂正部１３および３３で誤り訂正されたデータストリームの映像音声データをデスクランブルする。１５および３５は多重分離部であり、データストリームのＥＭＭセクションを抽出したり、デスクランブル部１４および３４でデスクランブルされた映像音声データを分離する。１６および３６は制御部であり、各構成部分の動作を制御する。１７および３７は記憶部であり、それぞれ多重分離部１５および３５で抽出されたＥＭＭから制御部１６および３６によって抽出されたＩＲＤ＿Ｇｒ＿ＩＤを記憶する。なお、記憶部１７および３７には該受信装置に固有のＩＲＤ＿ＩＤも記憶されている。１８および３８は映像音声デコード部であり、それぞれ多重分離部１５および３５で分離された，デスクランブル済映像音声データを復号する。１９および３９は映像表示部であり、それぞれ映像音声デコード部１８および３８で復号された映像を表示する。２０および４０は音声出力部であり、それぞれ映像音声デコード部１８および３８で復号された音声を出力する。２１は上り回線制御部であり、制御部１６および３６の指示によって定期的に該受信装置から送信側に該受信装置のＩＲＤ＿ＩＤおよびＩＲＤ＿Ｇｒ＿ＩＤを電話回線を介して顧客管理センターへ通知する。５１および７１はカード部であり、ＥＭＭに含まれるものとは別の種類の鍵情報が記録されたＩＣカードなどである。５２および７２はカードインタフェース部であり、それぞれカード部５１および７１と該ＩＲＤ本体とを接続することによって、カード部５１および７１に記録されたデータを各部分に転送する。
【００３６】
なお、図３においてはカードインタフェースが低速インタフェースの場合の例を示したが、高速インタフェースの場合であっても可能であることは言うまでもない。
【００３７】
図４は本実施の形態１によるデータ送受信方法の一例を説明するためのフローチャート図である。
次に、本実施の形態１によるデータ送受信方法について、図１〜４により説明する。
まず、視聴者Ａ宅が１台目のＩＲＤ（ＩＲＤ１）を購入したとき、視聴者Ａは事業者との契約に際し、ＩＲＤ１が有するＩＲＤ＿ＩＤとともに、どの有料チャンネルと契約するか，またＩＲＤ１と接続した電話回線番号を事業者に届ける（Ｓ１）。
【００３８】
事業者（送信側）は、このＩＲＤに対して図１（ａ）あるいは（ｂ）に示したＥＭＭを送出する（Ｓ２）。該ＥＭＭでは、図２（ｂ）に示したＩＲＤ単位の管理情報リストおよび鍵情報が送出される。
【００３９】
ＩＲＤ１は、チューナ１１でディジタル放送によるデータストリームの信号を受信し、該信号を復調部１２で復調し、このビット誤りを正すための誤り訂正符号を使用して、誤り訂正部１３で伝送路の誤りを正す。多重分離部１５は誤り訂正部１３で誤り訂正されたデータストリームのＥＭＭを抽出する。制御部１６は該ＥＭＭを取得して、上記管理情報リスト（ｂ）より，どの有料チャンネル（サービス）と契約しているかを認識するとともに、該ＥＭＭから鍵情報を抽出する。さらに、制御部１６はカードインタフェース部５２を介して、カード部５１に記録された鍵情報とＥＭＭから抽出した鍵情報とに基づいて、データストリームの契約したチャンネル（サービス）の番組（イベント）の映像音声データについて、デスクランブル部１４でデスクランブルさせる。また、多重分離部１５はデータストリームからデスクランブルされた映像音声データを分離し、これを映像音声デコード部１８は復号する。復号された映像は映像表示部１９で表示し、音声を音声出力部２０で出力する。このようにして、契約したチャンネルについてのみ表示することができる（Ｓ３）。
【００４０】
視聴者Ａ宅がＩＲＤ１を使用中に２台目のＩＲＤ（ＩＲＤ２）を購入したとき、ＩＲＤ２をＩＲＤ１と同じ電話回線で接続して、ＩＲＤ１についてのＩＲＤ単位での契約を、ＩＲＤ１およびＩＲＤ２についての集団単位での契約に変更する。この際、ＩＲＤ２が有するＩＲＤ＿ＩＤとともに、該ＩＲＤ２がＩＲＤ１と同一集団に属する旨を知らせるため、ＩＲＤ１のＩＲＤ＿ＩＤを事業者に届ける（Ｓ４）。
【００４１】
事業者（送信側）は、ＩＲＤ１およびＩＲＤ２に対して同一のＩＲＤ＿Ｇｒ＿ＩＤを割り当てて伝送する。ＩＲＤ１およびＩＲＤ２は受信したＩＲＤ＿Ｇｒ＿ＩＤをそれぞれ不揮発メモリに保存する。ここで、該ＩＲＤ＿Ｇｒ＿ＩＤは、ＥＭＭだけでなく電話回線などの別伝送路でも送出するようにすれば、より確実に受信側で受信することができる。したがって、該ＩＲＤ＿Ｇｒ＿ＩＤは、ＥＭＭで送出しなければならないものではなく、いずれの受信装置（ＩＲＤ）に割り振られるＩＲＤ＿Ｇｒ＿ＩＤであるかがわかるように、ＩＲＤ＿ＩＤとの組で送出されるものであればよい。
【００４２】
また、事業者（送出側）はＩＲＤ１に送出したものと同一の契約情報を含んだＥＭＭをＩＲＤ２に向けて送出する（Ｓ５）。すなわち、ＩＲＤ１に送出されたものと同一の鍵情報および図２（ａ）に示した集団単位の管理情報リストが送出される。なお、ここで送出される集団単位の管理情報リストは、ＩＲＤ１に送出されたＩＲＤ単位の管理情報リストの内容と同じで、ＩＲＤ＿ＩＤのかわりにＩＲＤ＿Ｇｒ＿ＩＤが示されているものである。また、集団契約に変更したのでＩＲＤ１に対してもＩＲＤ単位の管理情報リストに換えて、集団単位の管理情報リストが送出される。
【００４３】
ＩＲＤ２は、チューナ３１でディジタル放送によるデータストリームの信号を受信し、該信号を復調部３２を復調し、このビット誤りを正すための誤り訂正符号を使用して、誤り訂正部３３で伝送路の誤りを正す。多重分離部３５は誤り訂正部３３で誤り訂正されたデータストリームのＥＭＭを抽出する。制御部３６は該ＥＭＭを取得して、上記管理情報リスト（ａ）より，どの有料チャンネル（サービス）と契約しているかを認識するとともに、該ＥＭＭから鍵情報を抽出する。さらに、制御部３６はカードインタフェース部７２を介して、カード部７１に記録された鍵情報とＥＭＭから抽出した鍵情報とに基づいて、データストリームの契約したチャンネル（サービス）の番組（イベント）の映像音声データについて、デスクランブル部３４でデスクランブルさせる。また、多重分離部３５はデータストリームからデスクランブルされた映像音声データを分離し、これを映像音声デコード部３８が復号する。復号された映像は映像表示部３９で表示し、音声を音声出力部４０で出力する。すなわち、ＩＲＤ２は認識した契約情報に基づいてスクランブルを解いて、ＩＲＤ１が既に契約しているチャンネルと同一のものを視聴することができる。ここで、上記管理情報リストの内容は受信側でわかっているので、送信側から送出することなくユーザが入力するようにしてもよい。
【００４４】
また、ＩＲＤ１およびＩＲＤ２は、接続した電話回線によって、所定の時間間隔で自己のＩＲＤ＿ＩＤおよび自己が属するＩＲＤ＿Ｇｒ＿ＩＤを顧客管理センターへ通知する（Ｓ７）。なお、ＩＲＤ１およびＩＲＤ２は別個独立の時間間隔等で通知するものである。
【００４５】
顧客管理センターは、電話回線によって通知されたＩＲＤ＿ＩＤおよびＩＲＤ＿Ｇｒ＿ＩＤと、契約時に届けられた電話回線番号，ＩＲＤ＿ＩＤおよびＩＲＤ＿Ｇｒ＿ＩＤとを照合する（Ｓ８）。
【００４６】
事業者は、顧客管理センターからの照合結果を受けて、照合できた場合には次のＩＲＤからの通知を待つ。照合できなかった場合、すなわち、ＩＲＤが届けた電話回線番号と接続されておらず、異なる電話回線番号と接続されて、別宅で使用されている場合などであり、同一電話回線で接続した同一集団で使用するという集団単位の契約に違反するため、事業者（送信側）は違反したＩＲＤに警告メッセージを送出する（Ｓ９）。
【００４７】
なお、図４に示したデータ送受信方法の一例においては、１台目のＩＲＤについてはＩＲＤ単位で契約し、２台目以降のＩＲＤを購入して複数のＩＲＤを所有して、これらについて契約するときに初めて集団単位で契約するものとしたが、１台目についての契約時から、２台目以降の購入を予定して集団単位の契約をするものとしてもよい。すなわち、Ｓ２でＩＲＤ１のみに対してＩＲＤ＿Ｇｒ＿ＩＤを割り振っておき、Ｓ５ではＩＲＤ２に既にＩＲＤ１に割り振ってあるＩＲＤ＿Ｇｒ＿ＩＤを送出する。
このように本実施の形態１によるデータ送受信方法では、別個の個別識別番号を有して同一集団に属する複数のデータ受信装置に、同一の集団識別番号を割り当てて、これら個別識別番号または集団識別番号に基づいて、受信契約の管理を行うものとしたから、送信側ではＩＲＤ単位および集団単位のいずれの契約形態でも課金することができ、受信側では集団単位の契約形態のとき、１契約の課金で複数の受信装置でデータを受信することができる。
【００４８】
また、上記受信契約は、所定の期間ごとに更新するものとしたから、受信装置単位と集団単位との契約形態を変更でき、より自由度の高い契約設定をすることができる。
【００４９】
また、上記データ受信装置は、ディジタル放送の受信装置として、放送されるデータストリームの所定部分について、所定期間の視聴に対して課金するものとしたから、契約形態のみならず課金形態についても自由度の高い設定をすることができる。
【００５０】
また、上記データストリームの部分をサービス（チャンネル）としたから、ペイ・パー・チャンネルの課金形態において、集団単位の契約形態を採用して、料金を徴収することが可能である。
【００５１】
また、上記受信契約内容は、受信側で視聴可能なサービスおよび契約期間を含み、データストリームに重畳して受信側に送信するものとしたから、受信側ではその内容に基づいてスクランブルを解いて、視聴可能なサービスのみを受信することができる。
【００５２】
また、第１の受信装置（ＩＲＤ１）が有する個別識別番号を送信側に通知するステップと、該第１の受信装置が受信契約しようとするサービスの識別情報を送信側に通知するステップと、上記第１の受信装置と同一集団に属する受信装置（ＩＲＤ２）が有する個別識別番号、及びその同一集団に属する旨を送信側に通知するステップと、同一集団に属する受信装置に同一の集団識別番号を割り当てるステップと、上記受信装置（ＩＲＤ２）に、上記第１の受信装置（ＩＲＤ１）が受信契約したサービスの識別情報を入力するステップとからなるものとしたから、第１の受信装置（ＩＲＤ１）が受信契約したサービスについて、第１の受信装置（ＩＲＤ１）と同一集団に属する複数の受信装置（ＩＲＤ１およびＩＲＤ２）で１契約の課金で受信して視聴することができる。
【００５３】
また、上記第１の受信装置（ＩＲＤ１）と接続された電話回線番号を送信側に通知するステップと、上記受信装置（ＩＲＤ２）は、上記第１の受信装置（ＩＲＤ１）と同一の電話回線で接続され、各受信装置（ＩＲＤ１およびＩＲＤ２）から、自己の個別識別番号および集団識別番号を、接続された電話回線番号から所定の時間間隔で送信側へ通知するステップと、送信側で、それらの番号と既に通知された番号とを照合するステップとをさらに含むものとしたから、集団単位で契約した受信装置を契約した集団内で使用していないことを把握することができる。
【００５４】
また、上記受信装置（ＩＲＤ２）に、上記第１の受信装置（ＩＲＤ１）が受信契約したサービスの識別情報を入力するステップは、送信側から送出される情報を入力するものとしたから、受信側でユーザが入力する手間を省き、入力ミスを防ぐことが可能である。
【００５５】
また、上記送信側で、番号を照合するステップにおいて一致しないとき、送信側から受信側に警告するものとしたから、警告後も違反を続ける場合には、違反した受信装置や集団全体の受信装置に対して、サービスを打ち切るなどの，その後の措置をとることが容易となる。
【００５６】
また、上記同一集団に属する受信装置に同一の集団識別番号を割り当てるステップは、集団識別番号を映像および音声とともにデータストリームに多重して受信装置に伝送するものとしたから、データとともに容易に伝送することができる。
【００５７】
また、上記集団識別番号をデータストリームのＥＭＭに格納して伝送するものとしたから、従来より伝送されているＩＲＤ＿ＩＤと組にして容易に伝送することができる。
【００５８】
また、上記集団識別番号をデータストリームとは異なる伝送路でも受信装置に伝送するものとしたから、電話回線などの電波障害のない伝送路を利用して、より確実に伝送することができる。
【００５９】
また、本実施の形態１による受信装置では、送信側からの集団識別番号を記憶する記憶部と、送信されたデータストリームから受信契約の情報を抽出する多重分離部と、抽出した受信契約の情報を解析して受信可能なサービスを認識するとともに、上記多重分離部にデータストリームから受信可能なサービスをデスクランブルするための鍵情報を抽出させて、これを取得する制御部と、認識した受信可能なサービスと抽出した鍵情報とを含む情報に基づいて、上記制御部の指示により、データストリームから受信可能なサービスをデスクランブルするデスクランブル部とを備えた構成としたから、同一集団に属する複数の受信装置で１契約の課金で受信して視聴することができる。
【００６０】
また、上記受信装置の個別識別番号および集団識別番号を、当該受信装置に接続された電話回線を通じて所定の時間間隔で送信側へ通知する上り回線制御部をさらに備えた構成としたらか、集団単位で契約した受信装置を契約した集団内で使用していないときには、これを把握することが可能である。
【００６１】
なお、本実施の形態１においては、ＩＲＤ１およびＩＲＤ２の２台のＩＲＤを同一集団とした場合について示したが、３台以上のＩＲＤを同一集団とした場合であっても同様にして同様の効果を得ることが可能である。
【００６２】
実施の形態２．
本発明の実施の形態２によるデータ送受信方法は、課金形態としてペイ・パー・ビュー（ＰＰＶ）を採用した場合について説明する。なお、本実施の形態２においても、ＩＲＤ＿Ｇｒ＿ＩＤは、上記実施の形態１において図１に示したようにＥＭＭセクションに格納して送出される。
【００６３】
図５は本発明の実施の形態２によるデータ送受信方法において送信側から伝送されるＰＰＶ＿Group ＿descriptorの例を示す図である。
図において、６１はＰＰＶ＿Group ＿descriptorであり、ＰＰＶの課金形態をＩＲＤ単位あるいは集団単位で適用するかを区別するための情報を記述する。すなわち、ＰＰＶは番組ごとに視聴した番組分だけ料金を徴収する課金形態であるため、事業者としては、番組によっては集団単位での契約形態を採用して同一集団内の何台のＩＲＤで当該番組を見ても１台で見た分の料金を徴収してもよいが、例えば、製作費用のかかった番組については、ＩＲＤ単位での契約形態を採用したい場合も生じる。
【００６４】
そこで、番組ごとにＩＲＤ単位あるいは集団単位でＰＰＶの課金形態を採用するかを区別するdescriptorとして、ＰＰＶ＿Group ＿descriptorを採用した。なお、該ＰＰＶ＿Group ＿descriptorは、社団法人電波産業会（Association of Radio Industries and Businesses，ＡＲＩＢ）で規格されている番組配列情報（Service Information ，ＳＩ）のイベント情報テーブル（Event Information Table ，ＥＩＴ）に記述する。
【００６５】
また、６２はGroup ＿flagであり、これが１のとき集団単位での視聴を許可することを示し、０のときＩＲＤ単位での契約となることを示す。
【００６６】
なお、本発明の実施の形態２によるデータ送受信方法における受信装置の構成は、基本的に図３と同様である。
【００６７】
ただし、カード部５１および７１は、さらに該ＩＲＤで表示した番組に関して、番組を識別可能な番組識別子や表示時間などの視聴履歴をメモリする。
【００６８】
図６は本実施の形態２によるデータ送受信方法の一例を説明するためのフローチャート図である。
【００６９】
次に、本実施の形態２によるデータ送受信方法について、図１，３，５，及び６により説明する。
まず、視聴者Ａ宅が１台目のＩＲＤ（ＩＲＤ１）を購入したとき、視聴者Ａは事業者との契約に際し、ＩＲＤ１が有するＩＲＤ＿ＩＤとともに、ＩＲＤ１と接続した電話回線番号を事業者に届ける（Ｓ１）。
【００７０】
事業者（送信側）は、このＩＲＤに対して図１（ａ）あるいは（ｂ）に示したＥＭＭを送出する（Ｓ２）。該ＥＭＭは、イベント（番組）の課金情報，event ＿idを含んで送出される。
【００７１】
ＩＲＤ１は、チューナ１１でディジタル放送によるデータストリームの信号を受信し、該信号を復調部１２を復調し、このビット誤りを正すための誤り訂正符号を使用して、誤り訂正部１３で伝送路の誤りを正す。多重分離部１５は誤り訂正部１３で誤り訂正されたデータストリームのＥＭＭを抽出する（Ｓ３）。
【００７２】
次いで、制御部１６は該ＥＭＭを取得して、鍵情報を抽出するとともに、視聴イベント（番組）の課金情報，event ＿idをカード部５１へ転送する（Ｓ４）。さらに制御部１６は、カードインタフェース部５２を介して、カード部５１に記録された鍵情報とＥＭＭから抽出した鍵情報とに基づいて、データストリームの視聴イベント（番組）の映像音声データについて、デスクランブル部１４でデスクランブルさせる。また、多重分離部１５はデータストリームからデスクランブルされた映像音声データを分離し、これを映像音声デコード部１８が復号する。復号された映像は映像表示部１９で表示し、音声を音声出力部２０で出力する。
【００７３】
次いで、制御部１６はカード部５１にメモリされたevent ＿id，課金情報，及びＩＲＤ＿ＩＤを顧客管理センターへ上り回線を通じて定期的に通知する（Ｓ５）。
視聴者Ａ宅がＩＲＤ１を使用中に２台目のＩＲＤ（ＩＲＤ２）を購入したとき、ＩＲＤ２をＩＲＤ１と同じ電話回線で接続して、ＩＲＤ１についてのＩＲＤ単位での契約を、ＩＲＤ１およびＩＲＤ２についての集団単位での契約に変更する。この際、ＩＲＤ２が有するＩＲＤ＿ＩＤとともに、該ＩＲＤ２がＩＲＤ１と同一集団に属する旨を知らせるため、ＩＲＤ１のＩＲＤ＿ＩＤを事業者に届ける（Ｓ６）。なお、集団単位での契約に変更したとはいっても、上述のようにイベント（番組）によってはＩＲＤ単位の契約形態が適用される。
【００７４】
事業者（送信側）は、ＩＲＤ１およびＩＲＤ２に対して同一のＩＲＤ＿Ｇｒ＿ＩＤを割り当てるとともに、図５に示したＰＰＶ＿Group ＿descriptorを伝送する。ＩＲＤ１およびＩＲＤ２は受信したＩＲＤ＿Ｇｒ＿ＩＤをそれぞれ不揮発メモリに保存する。ここで、該ＩＲＤ＿Ｇｒ＿ＩＤは、ＥＭＭだけでなく電話回線などの別伝送路でも送出するようにすれば、より確実に受信側で受信することができる。
【００７５】
また、事業者（送出側）はイベント（番組）の課金情報，event ＿idを含んだＥＭＭをＩＲＤ２に向けて送出する（Ｓ７）。
【００７６】
ＩＲＤ２は、チューナ３１でディジタル放送によるデータストリームの信号を受信し、該信号を復調部３２を復調し、このビット誤りを正すための誤り訂正符号を使用して、誤り訂正部３３で伝送路の誤りを正す。多重分離部３５は誤り訂正部３３で誤り訂正されたデータストリームのＥＭＭを抽出する（Ｓ８）。
【００７７】
次いで、制御部３６は該ＥＭＭを取得して、鍵情報を抽出するとともに、視聴イベント（番組）の課金情報，event ＿idをカード部７１へ転送する（Ｓ９）。さらに制御部３６は、カードインタフェース部７２を介して、カード部７１に記録された鍵情報とＥＭＭから抽出した鍵情報とに基づいて、データストリームの視聴イベント（番組）の映像音声データについて、デスクランブル部３４でデスクランブルさせる。また、多重分離部３５はデータストリームからデスクランブルされた映像音声データを分離し、これを映像音声デコード部３８が復号する。復号された映像は映像表示部３９で表示し、音声を音声出力部４０で出力する。
【００７８】
上記Ｓ８およびＳ９においては、ＩＲＤ１でも、ＩＲＤ２と全く同様に動作して同一のイベント（番組）を表示する。すなわち、ＩＲＤ１において上述のＳ３およびＳ４と同じ動作を行う。
【００７９】
次いで、制御部３６はカード部７１にメモリされたevent ＿id，課金情報，及びＩＲＤ＿ＩＤを顧客管理センターへ上り回線を通じて定期的に通知する（Ｓ１０）。
上記Ｓ１０においても、ＩＲＤ２と全く同様にして、ＩＲＤ１は上述のＳ５と同じ動作を行う。
【００８０】
ここで、ＩＲＤ１およびＩＲＤ２には、上述のように、ＰＰＶ＿Group ＿descriptorが送出されており、Group ＿flagが１か０かによって、視聴したイベント（番組）が集団単位で視聴許可されている，すなわち集団内の何台のＩＲＤで視聴しても１台で視聴した分の料金が徴収されるか、あるいはＩＲＤ単位でしか認められていないかがわかる。なお、ユーザがいずれかを判断できるように、視聴イベント（番組）を表示する前に、これらの別を画面表示するようにしてもよい。
【００８１】
そして、ＩＲＤ１およびＩＲＤ２が視聴した同一イベント（番組）が、集団単位で視聴許可された番組であれば、事業者はＩＲＤ１およびＩＲＤ２から通知された集団識別番号およびevent ＿idによって、当該イベント（番組）が同一集団に属するＩＲＤ１およびＩＲＤ２によって視聴されたことを確認し、集団単位での契約を適用して、ＩＲＤ１台で視聴した料金分を課金することになる。
【００８２】
ここで、上記Ｓ７〜Ｓ１０において、イベント（番組）を特定する情報としてevent ＿idを利用したが、これに限るものではなく、例えば番組名や放送開始時刻および終了時刻などであってもよい。
【００８３】
また、ＩＲＤ１およびＩＲＤ２は、接続した電話回線によって、所定の時間間隔で自己のＩＲＤ＿ＩＤおよび自己が属するＩＲＤ＿Ｇｒ＿ＩＤを顧客管理センターへ通知する（Ｓ７）。なお、ＩＲＤ１およびＩＲＤ２は別個独立の時間間隔等で通知するものである。
【００８４】
顧客管理センターは、電話回線によって通知されたＩＲＤ＿ＩＤおよびＩＲＤ＿Ｇｒ＿ＩＤと、契約時に届けられた電話回線番号，ＩＲＤ＿ＩＤおよびＩＲＤ＿Ｇｒ＿ＩＤとを照合する（Ｓ８）。
【００８５】
事業者は、顧客管理センターからの照合結果を受けて、照合できた場合には次のＩＲＤからの通知を待つ。照合できなかった場合、すなわち、ＩＲＤが届けた電話回線番号と接続されておらず、異なる電話回線番号と接続されて、別宅で使用されている場合などであり、同一電話回線で接続した同一集団で使用するという集団単位の契約に違反するため、事業者（送信側）は違反したＩＲＤに警告メッセージを送出する。
【００８６】
このように、本発明の実施の形態２によるデータ送受信方法では、別個の個別識別番号を有して同一集団に属する複数のデータ受信装置に、同一の集団識別番号を割り当てて、これら個別識別番号または集団識別番号に基づいて、受信契約の管理を行うものとしたから、送信側ではＩＲＤ単位および集団単位のいずれの契約形態でも課金することができ、受信側では集団単位の契約形態のとき、１契約の課金で複数の受信装置でデータを受信することができる。
【００８７】
また、上記受信契約は、所定の期間ごとに更新するものとしたから、受信装置単位と集団単位との契約形態を変更でき、より自由度の高い契約設定をすることができる。
【００８８】
また、上記データ受信装置は、ディジタル放送の受信装置として、放送されるデータストリームの所定部分について、所定期間の視聴に対して課金するものとしたから、契約形態のみならず課金形態についても自由度の高い設定をすることができる。
【００８９】
また、上記データストリームの部分をイベント（番組）としたから、ペイ・パー・ビュー（ＰＰＶ）の課金形態において、集団単位の契約形態を採用して、料金を徴収することが可能である。
【００９０】
また、第１の受信装置（ＩＲＤ１）が有する個別識別番号を送信側に通知するステップと、上記第１の受信装置（ＩＲＤ１）と同一集団に属する受信装置（ＩＲＤ２）が有する個別識別番号，及びその同一集団に属する旨を送信側に通知するステップと、同一集団に属する受信装置（ＩＲＤ１およびＩＲＤ２）に同一の集団識別番号を割り当てるステップと、同一の集団識別番号を有する複数の受信装置（ＩＲＤ１およびＩＲＤ２）で同一のイベント（番組）を視聴したとき、個別識別番号，集団識別番号および当該イベント（番組）を特定する情報を通知するステップとからなるものとしたから、送信側は、同一の集団識別番号を有する複数の受信装置で同一のイベント（番組）を視聴したことを確認し、同一集団に対して当該イベントを１の受信装置で視聴した分の課金を行うものとすることができる。
【００９１】
また、上記イベント（番組）を特定する情報は、各イベント（番組）を識別可能な番組識別番号を含むものとしたから、同一イベント（番組）であることを確実に把握できる。
【００９２】
また、上記集団識別番号を割り当てるステップにおいて、各イベント（番組）が受信装置単位および集団単位のいずれの課金形態を適用するかを示す情報をさらに送出するものとしたから、受信側で該情報を画面表示するようにすれば、ユーザはいずれかの課金形態かを把握して視聴する受信装置の台数を変更等することができる。
【００９３】
また、本発明の実施の形態２による受信装置では、送信側からの集団識別番号を記憶する記憶部と、送信されたデータストリームから視聴履歴を抽出する多重分離部と、抽出した視聴履歴を記憶するカード部と、記憶した視聴履歴をＩＲＤ＿ＩＤおよびＩＲＤ＿Ｇｒ＿ＩＤとともに外部管理センターへ転送するカードインタフェース部とを備えたから、同一集団に属する複数の受信装置で同一イベント（番組）を視聴したことを管理センターへ通知できるので、集団単位での視聴が許可されたイベント（番組）については、１回分の課金で視聴することが可能である。
【００９４】
また、上記受信装置の個別識別番号および集団識別番号を、当該受信装置に接続された電話回線を通じて所定の時間間隔で送信側へ通知する上り回線制御部をさらに備えた構成としたから、集団単位で契約した受信装置を契約した集団内で使用していないときには、これを把握することが可能である。
【００９５】
なお、本実施の形態２においても、ＩＲＤ１およびＩＲＤ２の２台のＩＲＤを同一集団とした場合について示したが、３台以上のＩＲＤを同一集団とした場合であっても同様にして同様の効果を得ることが可能である。
【００９６】
【発明の効果】
以上のように、本発明にかかるデータ送受信方法によれば、別個の個別識別番号を有して同一集団に属する複数のデータ受信装置に、同一の集団識別番号を割り当てて、これら個別識別番号または集団識別番号に基づいて、受信契約の管理を行うものとしたから、送信側ではＩＲＤ単位および集団単位のいずれの契約形態でも課金することができ、受信側では集団単位の契約形態のとき、１契約の課金で複数の受信装置でデータを受信することができる効果がある。
【００９７】
また、本発明にかかるデータ送受信方法によれば、上記受信契約は、所定の期間ごとに更新するものとしたから、受信装置単位と集団単位との契約形態を変更でき、より自由度の高い契約設定をすることができる効果がある。
【００９８】
また、本発明にかかるデータ送受信方法によれば、上記データは、ディジタル放送におけるデータストリームによって伝送される映像，音声，及びデータを含み、所定のデータストリームの部分ごとについて、所定期間の視聴に対して課金するものとしたから、契約形態のみならず課金形態についても自由度の高い設定をすることができる効果がある。
【００９９】
また、本発明にかかるデータ送受信方法によれば、上記データストリームの部分をサービス（チャンネル）としたから、ペイ・パー・チャンネルの課金形態において、集団単位の契約形態を採用して、料金を徴収することが可能である効果がある。
【０１００】
また、本発明にかかるデータ送受信方法によれば、上記受信契約内容は、受信側で視聴可能なサービスおよび契約期間を含み、データストリームに重畳して受信側に送信するものとしたから、受信側ではその内容に基づいてスクランブルを解いて、視聴可能なサービスのみを受信することができる効果がある。
【０１０１】
また、本発明にかかるデータ送受信方法によれば、第１の受信装置が有する個別識別番号を送信側に通知するステップと、該第１の受信装置が受信契約しようとするサービスの識別情報を送信側に通知するステップと、上記第１の受信装置と同一集団に属する，１つのまたは複数の受信装置がそれぞれ有する個別識別番号、及びその同一集団に属する旨を送信側に通知するステップと、同一集団に属する受信装置に同一の集団識別番号を割り当てるステップと、上記１つのまたは複数の受信装置に、上記第１の受信装置が受信契約したサービスの識別情報を入力するステップとからなるものとしたから、第１の受信装置が受信契約したサービスについて、第１の受信装置と同一集団に属する複数の受信装置で１契約の課金で受信して視聴することができる効果がある。
【０１０２】
また、本発明にかかるデータ送受信方法によれば、上記第１の受信装置と接続された電話回線番号を送信側に通知するステップと、上記１つのまたは複数の受信装置は、上記第１の受信装置と同一の電話回線で接続され、各受信装置から、自己の個別識別番号および集団識別番号を、接続された電話回線番号から所定の時間間隔で送信側へ通知するステップと、送信側で、それらの番号と既に通知された番号とを照合するステップとをさらに含むものとしたから、集団単位で契約した受信装置を契約した集団内で使用していないことを把握することができる効果がある。
【０１０３】
また、本発明にかかるデータ送受信方法によれば、上記１つのまたは複数の受信装置に、上記第１の受信装置が受信契約したサービスの識別情報を入力するステップは、送信側から送出される情報を入力するものとしたから、受信側でユーザが入力する手間を省き、入力ミスを防ぐことが可能である効果がある。
【０１０４】
また、本発明にかかるデータ送受信方法によれば、上記送信側で、番号を照合するステップにおいて一致しないとき、送信側から受信側に警告するものとしたから、警告後も違反を続ける場合には、違反した受信装置や集団全体の受信装置に対して、サービスを打ち切るなどの，その後の措置をとることが容易となる効果がある。
【０１０５】
また、本発明にかかるデータ送受信方法によれば、上記同一集団に属する受信装置に同一の集団識別番号を割り当てるステップは、集団識別番号を映像および音声とともにデータストリームに多重して受信装置に伝送するものとしたから、データとともに容易に伝送することができる効果がある。
【０１０６】
また、本発明にかかるデータ送受信方法によれば、上記集団識別番号をデータストリームのＥＭＭに格納して伝送するものとしたから、従来より伝送されているＩＲＤ＿ＩＤと組にして容易に伝送することができる効果がある。
【０１０７】
また、本発明にかかるデータ送受信方法によれば、上記集団識別番号をデータストリームとは異なる伝送路でも受信装置に伝送するものとしたから、電話回線などの電波障害のない伝送路を利用して、より確実に伝送することができる効果がある。
【０１０８】
また、本発明にかかるデータ送受信方法によれば、上記データストリームの部分をイベント（番組）としたから、ペイ・パー・ビュー（ＰＰＶ）の課金形態において、集団単位の契約形態を採用して、料金を徴収することが可能である効果がある。
【０１０９】
また、本発明にかかるデータ送受信方法によれば、第１の受信装置が有する個別識別番号を送信側に通知するステップと、上記第１の受信装置と同一集団に属する，１つのまたは複数の受信装置がそれぞれ有する個別識別番号，及びその同一集団に属する旨を送信側に通知するステップと、同一集団に属する受信装置に同一の集団識別番号を割り当てるステップと、同一の集団識別番号を有する複数の受信装置で同一のイベント（番組）を視聴したとき、個別識別番号，集団識別番号および当該イベント（番組）を特定する情報を通知するステップとからなるものとしたから、送信側は、同一の集団識別番号を有する複数の受信装置で同一のイベント（番組）を視聴したことを確認し、同一集団に対して当該イベントを１つの受信装置で視聴した分の課金を行うものとすることができる効果がある。
【０１１０】
また、本発明にかかるデータ送受信方法によれば、上記イベント（番組）を特定する情報は、各イベント（番組）を識別可能な番組識別番号を含むものとしたから、同一イベント（番組）であることを確実に把握できる効果がある。
【０１１１】
また、本発明にかかるデータ送受信方法によれば、上記集団識別番号を割り当てるステップにおいて、各イベント（番組）が受信装置単位および集団単位のいずれの課金形態を適用するかを示す情報をさらに送出するものとしたから、受信側で該情報を画面表示するようにすれば、ユーザはいずれかの課金形態かを把握して視聴する受信装置の台数を変更等することができる効果がある。
【０１１２】
また、本発明にかかる受信装置によれば、送信側からの集団識別番号を記憶する記憶手段と、送信されたデータストリームから受信契約の情報を抽出する多重分離手段と、抽出した受信契約の情報を解析して受信可能なサービスを認識するとともに、上記多重分離部にデータストリームから受信可能なサービスをデスクランブルするための鍵情報を抽出させて、これを取得する制御手段と、認識した受信可能なサービスと抽出した鍵情報とを含む情報に基づいて、上記制御部の指示により、データストリームから受信可能なサービスをデスクランブルする暗号解読手段とを備えた構成としたから、同一集団に属する複数の受信装置で１契約の課金で受信して視聴することができる効果がある。
【０１１３】
また、本発明にかかる受信装置によれば、送信側からの集団識別番号を記憶する記憶手段と、送信されたデータストリームから視聴履歴を抽出する多重分離手段と、抽出した視聴履歴を記憶するカード手段と、記憶した視聴履歴をＩＲＤ＿ＩＤおよびＩＲＤ＿Ｇｒ＿ＩＤとともに外部管理センターへ通知するカードインタフェース手段とを備えたから、同一集団に属する複数の受信装置で同一イベント（番組）を視聴したことを管理センターへ通知できるので、集団単位での視聴が許可されたイベント（番組）については、１回分の課金で視聴することが可能である効果がある。
【０１１４】
また、本発明にかかる受信装置によれば、上記受信装置の個別識別番号および集団識別番号を、当該受信装置に接続された電話回線を通じて所定の時間間隔で送信側へ通知する上り回線制御手段をさらに備えた構成としたから、集団単位で契約した受信装置を契約した集団内で使用していないときには、これを把握することが可能である効果がある。
【図面の簡単な説明】
【図１】実施の形態によるデータ送受信方法において用いるＩＲＤ＿Ｇｒ＿ＩＤを格納した個別情報（Entitlement Management Message，ＥＭＭ）セクションを示す模式図である。
【図２】実施の形態１によるデータ送受信方法において送信側から伝送される管理情報リストの例を示す図である。
【図３】実施の形態１によるデータ送受信方法における受信装置の構成を示す図である。
【図４】実施の形態１によるデータ送受信方法の一例を説明するためのフローチャート図である。
【図５】実施の形態２によるデータ送受信方法において送信側から伝送されるＰＰＶ＿Group ＿descriptorの例を示す図である。
【図６】実施の形態２によるデータ送受信方法の一例を説明するためのフローチャート図である。
【符号の説明】
１１，３１    チューナ
１２，３２    復調部
１３，３３    誤り訂正部
１４，３４    デスクランブル部
１５，３５    多重分離部
１６，３６    制御部
１７，３７    記憶部
１８，３８    映像音声デコード部
１９，３９    映像表示部
２０，４０    音声出力部
２１    上り回線制御部
５１，７１    カード部
５２，７２    カードインタフェース部
６１    ＰＰＶ＿Group ＿descriptor
６２    Group ＿flag
【図１】
0004382178.tif 000002
【図２】
0004382178.tif 000003
【図３】
0004382178.tif 000004
【図４】
0004382178.tif 000005
【図５】
0004382178.tif 000006
【図６】
0004382178.tif 000007